(57)【特許請求の範囲】
【請求項１】
布基礎の上面とその上に配置される土台との間に介装される基礎パッキンであって、
通気孔が設けられた基礎パッキン本体、及び、凸部が設けられた通気性を有する断熱材を備え、前記断熱材は、前記凸部を前記通気孔に押し込んで前記通気孔を塞ぐようにして前記基礎パッキン本体に取り付けられることを特徴とする基礎パッキン。
【請求項２】
前記断熱材は、前記基礎パッキン本体の一側面側において前記通気孔を塞ぐようにして取り付けられている請求項１に記載の基礎パッキン。
【請求項３】
通気孔が設けられた基礎パッキンの前記通気孔に、凸部が設けられた通気性を有する断熱材の前記凸部を押し込んで、前記基礎パッキンに断熱材を取り付ける工程、及び
前記基礎パッキンを布基礎の上面とその上に配置される土台との間に介装させる工程を有する基礎パッキンの設置方法。
【発明の詳細な説明】
【技術分野】
【０００１】
この発明は、基礎パッキン及び基礎パッキンの設置方法に関する。
【背景技術】
【０００２】
近年、地球温暖化などの環境問題の対策の一環として、建物の構造においても気密化にすることで省エネを促進することが望まれている。例えば、ユニットバスを用いた浴室の下方空間を気密構造にして省エネ化を図ることが行われている。
【０００３】
従来、浴室の下方空間の構造として、コンクリート製の布基礎とその上に配置される土台との間に介装される台輪の上下面に弾性部材を設けて内外の通気を遮断する構造が開示されており（例えば、特許文献１参照）、これにより、浴室の下方空間の気密性を確保して断熱性を高めるようにしている。
【０００４】
【特許文献１】特開平７−１９７６７５号公報
【発明の開示】
【発明が解決しようとする課題】
【０００５】
布基礎は、地面に平滑に形成されたベタ基礎上に型枠を組み、型枠内に生コンクリートを流し込み硬化して立設される。つまり、布基礎とベタ基礎とは別々に硬化されて形成されおり、布基礎とベタ基礎とは一体的に形成されておらず、隙間が生じてしまうこととなる。また、内側の型枠と外側の型枠とを一定の距離に位置決めするために、内側及び外側の型枠の下端を繋ぎとめる巾止金具が配置されることから、布基礎とベタ基礎との境目に隙間が生じてしまう。浴室は建物の外周に面する位置に作られることから、浴室の下方空間を形成する布基礎は建物の外側に面することとなり、上記隙間から雨水などの水分、湿気が浴室の下方空間に侵入する。
【０００６】
また、浴室の下方空間を形成する布基礎には、浴室下を点検するための基礎点検口を設けておく必要があるのであるが、点検時による開閉や、基礎点検口に生じた僅かな隙間により気密性が損なわれることとなる。さらには、地盤からの湿気もコンクリート製のベタ基礎を通って、浴室の下方空間に侵入してくる。
【０００７】
以上のようなことから、浴室の下方空間には当然に湿気が生じることになり、この湿気は浴室の下方空間の気密性を高めたゆえ逃げ場を失い、かえって浴室の断熱性を低下させることとなるといった問題があった。
【０００８】
本発明は、上述した課題に鑑みてなされたものであり、その目的は、建物の下方の空間の湿気を取り除き、且つ、断熱性を向上させることが可能な基礎パッキンを提供することにある。
【課題を解決するための手段】
【０００９】
以上のような目的を達成するために、本発明は、以下のようなものを提供する。
（１）布基礎の上面とその上に配置される土台との間に介装される基礎パッキンであって、通気孔が設けられた基礎パッキン本体、及び、凸部が設けられた通気性を有する断熱材を備え、前記断熱材は、前記凸部を前記通気孔に押し込んで前記通気孔を塞ぐようにして前記基礎パッキン本体に取り付けられることを特徴とする基礎パッキン。
【００１０】
（１）の発明によれば、基礎パッキン本体には、通気孔が設けられており、この通気孔には、通気性を有する断熱材がこの通気孔を塞ぐように設けられている。従って、通気孔を塞いでいる断熱材は、通気性を有するため、この通気孔を介して、湿度を外部に排出することができる。また、通気孔を塞いでいるのは、断熱材であるため、通気孔から、熱（例えば、温められた空気の熱）が外部に排出されることを著しく防止し、断熱性を向上させることができる。このように、（１）の発明によれば、建築物の下方の空間の湿度を取り除くとともに、断熱性を向上させることが可能となる。
【００１３】
（２）上記断熱材は、基礎パッキン本体の一側面側において前記通気孔を塞ぐようにして取り付けられているようにしてもよい。
【００１５】
（３）通気孔が設けられた基礎パッキンの前記通気孔に、凸部が設けられた通気性を有する断熱材の前記凸部を押し込んで、前記基礎パッキンに断熱材を取り付ける工程、及び前記基礎パッキンを布基礎の上面とその上に配置される土台との間に介装させる工程を有する基礎パッキンの設置方法。
【００１６】
（３）の発明によれば、上記（１）の発明と同様の効果を得ることができる。
【発明の効果】
【００１７】
本発明によれば、建物の下方の空間の湿気を取り除き、且つ、断熱性を向上させることが可能な基礎パッキン及び基礎パッキンの設置方法を提供することができる。
【発明を実施するための最良の形態】
【００１８】
以下、本発明の実施形態について図面を用いて説明する。
勿論、本発明は、以下の実施形態に限定されるものではなく、本発明の構成を充足する範囲内で、適宜設計変更を行うことが可能である。
【００１９】
［第１実施形態］
図１は、第１実施形態に係る基礎パッキンを模式的に示す斜視図である。図２は、図１に示した基礎パッキン本体を示す斜視図である。なお、基礎パッキンは、布基礎と土台との間に介装される部材である。
図１に示すように、第１実施形態に係る基礎パッキン４０は、基礎パッキン本体４１と断熱材５０とから構成されている。
【００２０】
まず、基礎パッキン本体４１について説明する。
図２に示すように、基礎パッキン本体４１は、所定の厚さを有する略矩形の板形状をしており、短手方向に抜ける複数の通気孔４２が長手方向に連続して形成されている。通気孔４２は、断面形状が矩形であり、上下いずれかの壁面に開放部４３が形成されている。すなわち、通気孔４２は、左右の側壁４４と、上下いずれか一方の壁４５とで形成された３方囲繞形態を有しており、開放された残りの一方により通気が可能である。これにより、通気面積を増加させて換気性能を高めることができ、かつ、上下に接する布基礎や土台の接触面を乾燥させることができる。またこの開放部４３は、パッキンの長手方向及び短手方向に沿って、上下交互に形成されている。これにより、開放部４３の形成に伴うパッキンの撓み強度の低下を抑制できる。
【００２１】
また、基礎パッキン本体４１には、その平面中央部に矩形孔４７が、長手方向に互って所定の間隔をおいて連続的に形成されている。また、矩形孔４７の短辺中央には、釘止め用の孔を有する釘止め部４６が設けられている。
【００２２】
また、基礎パッキン本体４１の両端には、連結用の凸部４８及び凹部４９が形成されていて、直列状に連結して使用できるようになっている。なお、基礎パッキン本体４１は、場合に応じて適当に切断して使用することができる。
【００２３】
基礎パッキン本体４１の寸法は、特に限定されないが、例えば、厚さが１０〜３０ｍｍ、幅７０〜２００ｍｍ、長さ５００〜２０００ｍｍである。なお、幅は、土台の幅に合わせて定められる。
【００２４】
基礎パッキン本体の材料としては、特に限定されるものではなく、例えば、樹脂材料、金属材料等を挙げることができる。樹脂材料としては、特に限定されるものではないが、例えば、ポリプロピレン、ポリエチレン、アクリロニトリル・ブタジエン・スチレン樹脂（ＡＢＳ）、ポリ塩化ビニル、ナイロン等を挙げることができる。また、樹脂材料として、例えば、天然ゴム（ＮＲ）、スチレン・ブタジエンゴム（ＳＢＲ）、クロロプレンゴム（ＣＲ）等のゴム材料を挙げることができる。これらの材料は、単独で用いてもよく、２種以上を併用してもよい。金属材料としては、特に限定されるものではないが、例えば、ステンレス、鋳鉄等を挙げることができる。セラミックを用いることとしてもよい。
【００２５】
次に、断熱材５０について説明する。
なお、断熱材５０は、通気性を有するものであり、基礎パッキン本体４１に設けられている矩形孔４７に略隙間なく嵌合させるものである。
断熱材５０は、所定の厚さを有する略矩形の板形状をした断熱材本体５１と、断熱材本体５１に所定の間隔ごとに設けられた凸部５２とから構成されている。
【００２６】
断熱材本体５１の短辺中央部には、Ｖ字形状を有する切欠部５４が設けられており、基礎パッキン本体４１の釘止め部４６が引っかからないようになっている。また、断熱材本体５１には、短辺方向に平行となるように、所定の間隔をおいてスリット５５が設けられている。
【００２７】
基礎パッキン４０は、基礎パッキン本体４１に断熱材５０を嵌合させたものである。
基礎パッキン本体４１に断熱材５０を嵌合させるとき、断熱材５０の凸部５２は、基礎パッキン本体４１の上側の壁が形成されていない通気孔４２をふさぐように配置される。一方、凸部５２同士の間に形成された凹部５３は、下側の壁が形成されていない通気孔４２をふさぐように配置される。基礎パッキン４０では、通気孔４２が設けられているため、この通気孔から湿度を外部に逃がすことができる。また、通気孔４２が断熱材５０で塞がれており、熱が通気孔４２から逃げることを極力防止することができるため、断熱性を向上させることができる。
【００２８】
断熱材５０の材料としては、特に限定されるものではなく、例えば、プラスチック系断熱材、自然系断熱材、鉱物系断熱材を挙げることができる。プラスチック系断熱材としては、特に限定されるものでないが、例えば、硬質ウレタンフォーム、押し出し法ポリスチレンフォーム、ビーズ法ポリスチレン、高発泡ポリエチレン、発泡炭化カルシウム、フェノールフォーム、発泡ガラスを挙げることができる。自然系断熱材としては、特に限定されるものでないが、例えば、セルロースファイバー、軽量軟質木質繊維ボード、炭化発泡コルク、セルロースウール、ココヤシ繊維、綿状木質繊維、フラックス繊維、ハンフ繊維、コットン、ウールを挙げることができる。鉱物系断熱材としては、特に限定されるものでないが、例えば、グラスウール、ロックウールを挙げることができる。これらの材料は、単独で用いてもよく、２種以上を併用してもよい。上記材料の中では、高発泡ポリエチレンが好適である。
【００２９】
このように、基礎パッキン４０によれば、基礎パッキン本体４１には、通気孔４２が設けられており、通気孔４２には、通気性を有する断熱材５０がこの通気孔４２を塞ぐように設けられている。通気孔４２を塞いでいる断熱材５０は、通気性を有するため、この通気孔４３を介して、湿度を外部に排出することができる。また、通気孔４２を塞いでいるのは、断熱材であるため、通気孔４２から、熱（例えば、温められた空気の熱）が外部に排出されることを著しく防止し、断熱性を向上させることができる。このように、基礎パッキン４０によれば、建築物の下方の空間の湿度を取り除くとともに、断熱性を向上させることが可能となる。
【００３０】
［第２実施形態］
図３は、第２実施形態に係る断熱材を模式的に示す斜視図である。
図４は、図３に示した断熱材の正面図である。
図３、図４に示すように、第２実施形態に係る断熱材６０は、所定の厚さを有する略矩形板状の基体６１と、基体６１から所定の間隔で短辺方向に突出した四角柱状の凸部６２とから構成される。
【００３１】
断熱材６０は、基礎パッキン本体の側面に設けることにより基礎パッキンの通気孔を塞ぐことができる。基礎パッキン本体としては、凸部６２により通気孔を塞ぐことが可能な形状を有していれば、特に限定されず、例えば、図２に示した基礎パッキン本体４１を用いることができる。
【００３２】
［第３実施形態］
図５（ａ）は、第３実施形態に係る断熱材を模式的に示す断面図であり、図５（ｂ）は、その平面図であり、図５（ｃ）は、その側面図である。なお、図５（ａ）は、図５（ｂ）に示すＡ−Ａ線断面図である。
図５（ａ）、図５（ｂ）及び図５（ｃ）に示すように、第３実施形態に係る断熱材７０は、所定の厚さを有する略矩形板状の基体７１と、基体７１から所定の間隔で短辺方向に突出した四角柱状の凸部７２と、凸部７２よりも短い板形状の段差部７３（段差部７３ａ又は段差部７３ｂ）とから構成されている。段差部７３ａは、凸部７２の正面側に設けられており、段差部７３ｂは、凸部７２の底面側に設けられている。
【００３３】
断熱材７０は、基礎パッキン本体の側面に設けることにより基礎パッキンの通気孔を塞ぐことができる。基礎パッキン本体としては、凸部７２により通気孔を塞ぐことが可能な形状を有していれば、特に限定されないが、特に、図２に示した基礎パッキン本体４１を用いることが望ましい。段差部７３ａ又は段差部７３ｂが、基礎パッキン本体４１の表面と面一となるように基礎パッキン本体４１の通気孔４２に嵌まり込むとともに、凸部７２同士の間に形成された凹部７５が、基礎パッキン本体４１の側壁４４と噛み合い、通気孔４２を確実に塞ぐことができるからである。
【００３４】
［第４実施形態］
図６（ａ）は、第４実施形態に係る断熱材を模式的に示す平面図であり、図６（ｂ）は、その側面図である。
図６（ａ）、図６（ｂ）に示すように、第４実施形態に係る断熱材８０は、所定の厚さを有する略矩形板状の基体８１と、基体８１から所定の間隔で短辺方向に突出した四角柱状の凸部８２とから構成され、側面には所定の間隔ごとにスリット８３が設けられている。スリット８３は、基体８１を側面方向に容易に折り曲げることを可能とするものである。スリット８３が設けられているため、断熱材８０を基礎パッキン本体の側面に取り付ける際、端から順に押し込むことができ、容易に取り付けることが可能となる。
【００３５】
断熱材８０は、基礎パッキン本体の側面に設けることにより基礎パッキンの通気孔を塞ぐことができる。基礎パッキン本体としては、凸部８２により通気孔を塞ぐことが可能な形状を有していれば、特に限定されず、例えば、図２に示した基礎パッキン本体４１を用いることができる。
【００３６】
図７は、本発明に係る基礎パッキンが備えられた建物の一例を示す断面透視図である。
図７に示すように、建物５００では、コンクリート製のベタ基礎２０１に立設された布基礎（布基礎２０２及び布基礎２０３）に、基礎パッキン４０を介して土台２０４が載置され、その上に、床５１０や壁（外周壁５０８や浴室壁（ドア）５０５）等が所定の位置に配置されている。これにより、建物５００には、ユニットバス５０４が配設された浴室５０２と、例えば、洗面脱衣質などの浴室以外の居住部５０１とが形成される。
なお、布基礎２０２は、屋外に面した布基礎であり、布基礎２０３は、浴室５０２の下方空間５０３と浴室以外の居住部５０１の床下５１１とを区画するための布基礎である。
【００３７】
建物５００は、浴室５０２の下方空間５０３を気密構造にして省エネ化を図っている。建物５００では、下方空間５０３を囲む布基礎２０２及び布基礎２０３の内壁に断熱材５０７が設けられている。これにより、下方空間５０３の断熱性が高められている。
【００３８】
また、下方空間５０３を囲む布基礎２０２及び布基礎２０３の上に載置されている基礎パッキン４０は、すでに説明したように、通気孔４２が設けられた基礎パッキン本体４１、及び、通気孔４１を塞ぐ通気性を有する断熱材５０から構成された基礎パッキンである。通気孔４２を塞いでいる断熱材５０は、通気性を有するため、この通気孔４２を介して、湿度を外部に排出することができる。また、通気孔４２を塞いでいるのは、断熱材であるため、通気孔４２から、空気（下方空間５０３の空気）が外部に排出されることを著しく防止し、断熱性を向上させることができる。
【００３９】
本発明の基礎パッキンは、図７に示した基礎パッキン４０のように、浴室５０２を設けるための区画を囲う布基礎２０２及び布基礎２０３上に設けられることが望ましい。浴室５０２を設けるための区画を囲う布基礎２０２及び布基礎２０３上に設けられるため、特に、湿気が溜まり易く、且つ、断熱の必要な浴室５０２の下方空間５０３において、湿度を取り除くとともに、断熱性を向上させることが可能となるからである。
【００４０】
浴室５０２の下方空間５０３を形成する布基礎２０３には、浴室５０２の下を点検するための基礎点検口１が設けられている。基礎点検口１は、枠体２０と断熱性を有する蓋体１０とから構成されており、蓋体１０を枠体２０から取り外すことにより、浴室５０２の下を点検することができる。枠体２０と蓋体１０との当接面には、パッキンが設けられており、枠体２０と蓋体１０との間に隙間が生じることを防止することができるため、蓋体１０を枠体２０に嵌合した状態での気密性を高めることができる。
【００４１】
下方空間５０３の下側に位置するベタ基礎２０１には、密閉栓付き水抜き栓３００が設けられている。水抜き栓３００は、建物５００の建築中にベタ基礎２０１に溜まる雨水を抜くためのものであり、建物５００が完成した後は、原則不要である。しかしながら、水抜き栓５００が開口したままであると、下方空間５０３の気密性が損なわれるため、密閉蓋で蓋をし、気密性を高めている。さらに、密閉蓋により、地中からの湿気や白アリの侵入を防止することを可能としている。
【００４２】
また、建物５００の屋外に面した布基礎２０２とベタ基礎２０１との境界２０５には、この境界２０５を覆うように止水シート１０１が建物５００の屋外側から貼付されている。これにより、布基礎２０２とベタ基礎２０１との境界２０５に隙間が生じたとしても、この隙間から建物５００の下方空間５０３に水が侵入することを著しく防止することができる。その結果、建物５００の下方空間５０３の湿度が上昇してしまうことを防止することができ、断熱性を向上させることが可能となる。
【００４３】
図８は、本発明に係る基礎パッキンが備えられた他の建物の一例を示す断面透視図である。
図８に示す建物６００は、図７に示した建物５００と比して、浴室６０２の上側には、２階部分がなく、屋根が設けられている点で異なり、他の点で略同様の構成を有している。以下、建物６００を説明する。
【００４４】
図８に示すように、建物６００では、コンクリート製のベタ基礎７０１に立設された布基礎（布基礎７０２及び布基礎７０３）に、基礎パッキン４０を介して土台７０４が載置され、その上に、床６１０、壁（外周壁６０８や浴室壁（ドア）６０５）、屋根６１２等が所定の位置に配置されている。これにより、建物６００には、ユニットバス６０４が配設された浴室６０２と、例えば、洗面脱衣室などの浴室以外の居住部６０１とが形成される。
なお、布基礎７０２は、屋外に面した布基礎であり、布基礎７０３は、浴室６０２の下方空間６０３と浴室以外の居住部６０１の床下６１１とを区画するための布基礎である。
【００４５】
下方空間６０３を囲む布基礎７０２及び布基礎７０３の内壁には、断熱材６０７が設けられている。
【００４６】
また、下方空間６０３を囲む布基礎７０２及び布基礎７０３の上に載置されている基礎パッキン４０は、すでに説明したように、通気孔４２が設けられた基礎パッキン本体４１、及び、通気孔４１を塞ぐ通気性を有する断熱材５０から構成された基礎パッキンである。  
【００４７】
浴室６０２の下方空間６０３を形成する布基礎７０３には、浴室６０２の下を点検するための基礎点検口１が設けられている。基礎点検口１は、枠体２０と断熱性を有する蓋体１０とから構成されている。
【００４８】
下方空間６０３の下側に位置するベタ基礎７０１には、密閉栓付き水抜き栓３００が設けられている。
また、建物６００の屋外に面した布基礎７０２とベタ基礎７０１との境界７０５には、この境界７０５を覆うように止水シート１０１が建物６００の屋外側から貼付されている。
【００５０】
上述した実施形態では、基礎パッキン本体４１に、３方囲繞形態を有する通気孔４２を設ける場合について説明したが、本発明において、基礎パッキン本体に設けられる通気孔の形状や数は、特に限定されず、組み合わせる断熱材により通気孔を塞ぐことができればよい。
【００５２】
以上、本発明の実施形態について説明したが、本発明は、上述した例に限定されるものではなく、本発明の構成を充足する範囲内で、適宜設計変更を行うことが可能である。
【図面の簡単な説明】
【００５３】
【図１】第１実施形態に係る基礎パッキンを模式的に示す斜視図である。
【図２】図１に示した基礎パッキン本体を示す斜視図である。
【図３】第２実施形態に係る断熱材を模式的に示す斜視図である。
【図４】図３に示した断熱材の正面図である。
【図５】（ａ）は、第３実施形態に係る断熱材を模式的に示す正面図であり、（ｂ）は、その平面図であり、（ｃ）は、その側面図である。
【図６】（ａ）は、第４実施形態に係る断熱材を模式的に示す平面図であり、（ｂ）は、その側面図である。
【図７】本発明に係る基礎パッキンが備えられた建築物の一例を示す断面透視図である。
【図８】本発明に係る基礎パッキンが備えられた他の建築物の一例を示す断面透視図である。
【符号の説明】
【００５４】
４０  基礎パッキン
４１  基礎パッキン本体
４２  通気孔
５０、６０、７０、８０  断熱材
２０１、７０１  ベタ基礎
２０２、２０３、７０２、７０３  布基礎
２０４、７０４  土台
５００、６００  建物
５０２、６０２  浴室
【図１】
0005281814.tif 000002
【図２】
0005281814.tif 000003
【図３】
0005281814.tif 000004
【図４】
0005281814.tif 000005
【図５】
0005281814.tif 000006
【図６】
0005281814.tif 000007
【図７】
0005281814.tif 000008
【図８】
0005281814.tif 000009